(57)【要約】  本発明は、洪水防護、護岸又は洗掘防護装置（１）及び方法に関する。安価で長持ちしかつ効果的な防護を行うため、装置（１）が１つ又は複数の弾性板（２，７５）及び板を防護すべき個所（１２）に固定する取付け手段（３）を持っている。取付け手段（３）により１つ又は複数の弾性板（２，７５）を防護すべき個所（１２）に固定する方法が同様に開示されている。【選択図】図１
2011518268.tif 000002
【特許請求の範囲】
【請求項１】
洪水防護、護岸又は洗掘防護装置（１）であって、装置（１）が１つ又は複数の弾性板（２，７５）及び板を防護すべき個所（１２）に固定する取付け手段（３）を持っていることを特徴とする装置。
【請求項２】
弾性板（２，７５）がゴムから成り、なるべく約２ｃｍの厚さを持っていることを特徴とする、請求項１に記載の装置。
【請求項３】
弾性板（２，７５）が加硫により水密に又は結合手段により機械的に互いに結合されていることを特徴とする、請求項１又は２に記載の装置。
【請求項４】
弾性板（２，７５）が、特に繊維織物から成る１つ又は複数の挿入物（１４）、あるいは鋼棒、鋼線又は鋼網から成る補強体を持っていることを特徴とする、先行する請求項の１つに記載の装置。
【請求項５】
吸い込み力による板（２，７５）の変形を回避するため、弾性板（２，７５）のために補強素子（３０３）が設けられていることを特徴とする、先行する請求項の１つに記載の装置。
【請求項６】
取付け手段として土ねじ（３）、土槍又はセメント注入アンカ（２０７）が設けられていることを特徴とする、先行する請求項の１つに記載の装置。
【請求項７】
セメント注入アンカ（２０７）として、上端に設けられて管開口（２１１）用穴（２１０）を持つ管板（２０９）、及び頂板（２１４）を持つ閉鎖ねじ（２１３）用の上部雌ねじ（２１２）を有する管（２０８）が設けられていることを特徴とする、請求項６に記載の装置。
【請求項８】
装置（１）の両横端部に、水から陸地側の方へ延びて裏後方押し流しを防止するため、板（２，７５）に対して曲げられた矢板壁（２１）が設けられていることを特徴とする、先行する請求項の１つに記載の装置。
【請求項９】
水平に設けられて装置に結合される１つ又は複数の底板（６）が設けられて、弾性板（２，７５）用の保持枠を形成する支持部材（５）を持っていることを特徴とする、先行する請求項の１つに記載の装置。
【請求項１０】
底板（６）が大地に取付けるためのアンカ素子（７）を持っていることを特徴とする、先行する請求項の１つに記載の装置。
【請求項１１】
弾性板（２，７５）がその下縁に沿って延びる載置素子（１８）を持ち、この載置素子が垂直断面においてほぼＴ字状の異形材として形成されていることを特徴とする、先行する請求項の１つに記載の装置。
【請求項１２】
砂（１９）又は他の大地材料（３７）をしっかり保つため、弾性板（２，７５）がその上側に凹所（７１）及び／又は隆起を持っていることを特徴とする、先行する請求項の１つに記載の装置。
【請求項１３】
弾性板（７５）が、水流出開口（７２）及び／又は水を通しかつ砂を通さない濾過層特に不織布層（６３）を持っていることを特徴とする、先行する請求項の１つに記載の装置。
【請求項１４】
装置（１）が、互いに結合される弾性板（２，７５）の端部範囲に、端部範囲において弾性板（２）を下方へ引張るか又は押すために、なるべくコンクリートから成る少なくとも１つのおもり素子（７３）を持っていることを特徴とする、先行する請求項の１つに記載の装置。
【請求項１５】
互いに結合される板（２，７５）が、砂及び／又は他の材料を満たすため上方へ開く少なくとも１つの桶状の凹所（１００）を形成し、桶状凹所（１００）の壁（１０１）がなるべく弾性板（２）のしわとして形成されていることを特徴とする、先行する請求項の１つに記載の装置。
【請求項１６】
桶状凹所（１００）がその底に、横流れによる砂運び去りを防止するため、水に面する壁（１０３）から陸地側の方へ延びる隆起（１０２）を持ち、隆起（１０２）がなるべく弾性板（２，７５）のしわとして形成されていることを特徴とする、請求項１５に記載の装置。
【請求項１７】
互いに結合される弾性板（２）の端部範囲に、水を通しかつ砂を通さない濾過層（６３）特に不織布が設けられ、その上になるべく補強体（６０）が設けられていることを特徴とする、先行する請求項の１つに記載の装置。
【請求項１８】
請求項１〜１７の１つに記載の装置（１）を防護すべき個所（１２）に固定することを特徴とする、洪水防護、護岸又は洗掘防護方法。
【請求項１９】
洪水防護、護岸又は洗掘防護のために、請求項１〜１７の１つに記載の装置（１）の使用。
【発明の詳細な説明】
【技術分野】
【０００１】    本発明は、洪水防護、護岸又は洗掘防護装置及び方法に関する。このような装置及び方法は例えば沿岸、島、建造物の防護のために、海、水路、港及び海洋地下において使用される。その重要な目的は、海面状態、高潮、波、流れ及び潮の干満の作用に対する永続的な防護を保証することである。従来技術により公知の装置は、砂丘、堤防、覆い機構、防波堤、防破堤、岸堤防、阻止機構及び案内機構である。これらの装置の欠点は、それらが作用する流れ及び力により絶え間ない破壊にさらされ、費用がかかる修理作業を必要とすることである。
【背景技術】
【０００２】  別の欠点は、公知の防護手段は費用がかかるけれども、その防護作用に関してしばしば不十分なことである。例えば防砂堤は陸地の喪失を阻止することができず、流れに対するその作用により生態系に不利な影響を及ぼすことである。防波堤として役立ついわゆるテトラポット、重いコンクリート部材も著しい欠点を持っている。これらの建造物は、砂の堆積を阻止して陸地の消失を加速する有害な流れを生じる。沖合い範囲例えば風力設備の単一パイルでは、洗掘防護装置として約５００〜１０００ｔの石を積み重ねることが公知技術である。約２０年で設備の再構築後、この石の堆積は漁業にとって危険な障害物となる。【０００３】  沿岸防護の分野において、波ができるだけ平らな角で陸地面へ乗上げるようにするため、砂沖積方法が使用される。しかしこの方法は高い費用を伴う。なぜならば、砂が常に再び波により運び去られ、従って常に再び沖積せねばならないからである。
【発明の概要】
【発明が解決しようとする課題】
【０００４】  従って本発明の課題は、長持ちし安価で効果的な防護を行う洪水防護、護岸又は洗掘防護装置及び方法を提案することである。
【課第を解決するための手段】
【０００５】  この課題は、洪水防護、護岸又は洗掘防護装置が１つ又は複数の弾性板及び板を防護すべき個所に固定する取付け手段を持っていることによって解決される。板の裏側または下側は大地又は基礎への載置面として用いられ、表側又は上側は水又は波の乗上げ面として役立ち、沖合の範囲では運び去られる砂及び水の渦に対する防護装置として役立つ。板の可撓性は複数の利点を持っている。一方で板は沿岸線の推移又は大地の凹凸に合わされ、他方で板はその可撓性又は弾性により波及び渦のエネルギを吸収することができ、それにより公知の剛性装置より抵抗力があり、かつ長持ちする。装置は、更にその上を人間が通ることができ、車両が走行することができる。別の利点は、装置が泳ぐ人間に対して危険でないか、又は船舶との衝突の際危険でないことである。弾性板は一層であるか又は複数層から成っていてもよい。弾性板は、直接地表面上へたとえば洪水の危険のある沿岸範囲で敷設することができる。板は、それがまず敷設され、それから砂沖積が行われることによって、表面の下に位置することができるので、板を砂面又は地表面の下に見えないように位置する。その際砂表面又は陸地又は水面下にあってもよい。装置は、岸又は河川に近い建造物を保護するため、又は沖合いの建造物に対する洗掘防護装置としても使用することができる。洗掘とは、水で覆われる大地の流れによる浸食現象を意味する。沖合いの範囲では、提案された洗掘防護装置は、それが簡単に再建できかつ障害物のない海底に残されることである。
【０００６】  好ましい実施形態では、弾性板がゴムから成っている。ゴムは特に軽く、抵抗力があり、長持ちし、再使用できる材料である。コムの著しい利点は塩水に対する安定性であり、即ち腐食が起こらない。材料の長い安定性及び抵抗力により、防護装置は実際上保守の必要がない。ゴムは更に天然ゴムから環境にやさしく製造される。板が約２ｃｍの厚さを持っていると、特に良い防護が行われることがわかった。適した弾性板はほぼ１ｍ２の面積を持つか、又は２〜３ｍの幅と数１００ｍまでの長さを持つ巻き物として手に入る。これらは巻き物として１つのやり方で防護すべき場所へ搬送し、そこで繰り広げて取付けることができる。
【０００７】  弾性板が加硫により水密に又は結合手段により機械的に互いに結合されることができる。これにより危険のある範囲の一層大きい部分すなわち２〜３ｋｍ２又はそれ以上を防護することができる。加硫による結合の際生じるような板の最適な水密結合は、地中の湿り又は浸食を防止する。
【０００８】  弾性板が、特に繊維織物から成る１つ又は複数の挿入物、あるいは鋼棒、鋼線又は鋼網から成る補強体を持っていることによって、板の可撓性又は剛性が必要に応じて改善される。板は更に一層大きい圧縮力及び引張り力を吸収することができ、その上を歩いたり走行することができる。
【０００９】  流出する水の吸引力により弾性板の過度の変形を回避するため弾性板のために、上記の補強織物又は鋼から成る挿入物のほかに、付加的な外部の補強素子が設けられている。別の可能性は、コンクリート梁により弾性板を補強することである。この場合、１つの方向には内部の鋼補強体により、他の方向には更に表面に設けられるコンクリート梁により、板を補強することができる。コンクリート梁は、その重量により取付け手段としても役立つ。
【００１０】  弾性板は、取付け手段により防護すべき個所に固定される。これは、堤防、砂丘の水に面した側又は沿岸の浸食縁であってもよい。取付け手段として土ねじ、土槍又はセメント注入アンカが適しており、それにより板が地中に確実に係留される。このため弾性板が開口を持ち、この開口に取付け手段が通される。その場合開口は、土ねじ、土槍又はセメント注入アンカの頭部により覆われる。しかし取付け手段は、例えばコンクリート梁又は沖積される砂のように、弾性板の上へも載ることができる。
【００１１】  特に安定な係留はセメント注入アンカによって可能である。このアンカは、上端に設けられて管開口用穴を持つ管板、及び頂板を持つ閉鎖ねじ用の上部雌ねじを有する管を含んでいる。管の下端にはドリルビットがある。管を通して液状のセメント懸濁液又は他の結合剤が圧入され、セメント注入アンカが大地中へ動かされる。下部管開口から流出するセメントは管を包囲し、硬化後この管をはまり合いで大地に係留する。それから穴を持つ弾性板がセメント注入アンカの管板上へ置かれ、閉鎖ねじが穴を通って管の雌ねじへねじ込まれる。弾性板又は互いに結合される弾性板は、こうして管板と頂板との間に水密に締付けられて、大地に確実に係留される。
【００１２】  装置の裏後方押し流しを防止するため、装置の両横端部に、板に対して曲げられた矢板壁が設けられている。矢板壁は、板に付加される別個の部分であってもよい。矢板壁は、始端に湾曲部を持ちかつ水から離れるように陸地側の方へ延びる弾性板自体の終端部分として構成することができる。
【００１３】  別の取付け手段として、水平に設けられて装置に結合される１つ又は複数の底板が設けられている。底板は装置用の大面積の支えとして用いられ、こうして地中への沈下を防止する。底板は地表面に直接載るか、又は地中に設けることができる。弾性板は、水平又は斜めに延びる支持部材により底板に結合されている。支持部材は、自立枠を形成することによって、底板に対して垂直又は傾斜した位置で、弾性板を固定する。従ってこの実施形態では、取付けの際板の裏側が地面に載らなくてもよい。支持部材は砂の沖積装置のために準備し、その後の付加的な二重作業を回避する目的を持っている。別の利点は、底板及び支持部材が、弾性板へ作用する押圧力及び吸引力を吸収することである。縦方向に延びる支持部材は、この方向に作用する力も吸収する。装置は全体として底板及び支持部材により安定にされる。
【００１４】  底板が大地に取付けるためのアンカ素子を持っていることにより、装置のそれ以上の固定及び安定化が行われる。
【００１５】  弾性板がその下縁に沿って延びる載置素子を持ち、この載置素子が垂直断面においてほぼＴ字状の異形材として形成されている。載置素子は装置の固定及び安定化に役立つ。
【００１６】  砂又は他の大地材料をしっかり保つため、弾性板がその上側に凹所及び／又は隆起を持っている。これにより風による搬送のため砂の運び去りが防止されるか又は減少される。凹所又は隆起は、接着又は加硫により設けられる付加的な層により形成することができる。その代りに、弾性板は１片であってもよく、その際凹所及び隆起は弾性板の材料から切断されている。
【００１７】  弾性板は相互接続される水流出開口を持つことができる。これにより洪水の際弾性板上に水が集まらず、板を通って大地へ流出する。これにより、水が砂と共に懸濁液を形成し、この懸濁液が容易に押し流されるのを回避することができる。それにより砂は弾性板の上に留まり、付加的な防護のために役立つ。更に水を通しかつ砂を通さない濾過層特に不織布層が、なるべく弾性板の下側に設けられている。これにより、水が水流出開口を通る際、砂が一緒に押し流されるのを回避される。材料として例えばＰＥＴまたはＰＴＦＥのようなポリエステルが問題になる。
【００１８】  別の有利な実施形態では、装置が、互いに結合される弾性板の端部範囲に、端部範囲において弾性板を下方へ引張るか又は押すために、なるべくコンクリートから成るおもり素子を持っている。おもり素子は、水側に近い方の端部範囲または側方端部範囲に取付けることができる。それにより結合される板によって形成される面が湾曲され、波の乗上げ面として役立つ特に有利な流体力学的形状が形成される。こうして波の力が吸収され、上方へ導かれる。おもり素子の下の大地が沈下又は下方で押し流されると、おもり素子が板と共に下方へ動き、それにより防護作用が再び行われる。
【００１９】  別の実施形態では、互いに結合される板が、砂及び／又は他の材料を満たすため上方へ開く少なくとも１つの桶状の凹所として形成されている。砂は砂沖積におけるように桶状凹所へ導入され、その際入れられる砂の表面は正常な水面より上にある。これにより平らな水平面が生じるので、高波又は洪水の際水は、砂を運び出すための作用点を持たない。桶状凹所の壁が弾性板のしわとして形成されていることによって、安価な構造が生じる。
【００２０】  桶状凹所がその底に、水に面する壁から陸地側の方へ延びる隆起を持っている。これにより、砂防堤により得られる効果即ち横流れによる砂運び出しを防止する効果が生じる。しかし本発明による隆起の方が一層効果的である。なぜならば、それが完全に桶内及び砂内にあり、従って直接水により押し流されないからである。隆起も弾性板のしわとして安価に形成される。水を通すが砂を通さないようにするため、桶状凹所を形成する弾性板は、水流出開口及び濾過層特に不織布層を持っている。これにより桶状凹所にたまる水は、水流出開口を通って流出するが、砂は一緒に押し流されることがない。なぜならば、フィルタとして作用する不織布層により砂が引止められるからである。
【００２１】  別の好ましい実施形態では、互いに結合される弾性板の端部範囲に、水を通しかつ砂を通さない濾過層特に不織布が設けられ、その上になるべく補強体が設けられている。これにより濾過層の範囲において、水の透水線を中断することなしに、大地を固めて保護することが可能である。補強体は濾過層の安定化に役立ち、それにより通行可能になる。
【００２２】  本発明は更に洪水防護、護岸又は洗掘防護のための方法を含んでいる。方法では、１つ又は複数の弾性板を持つ請求項１に記載の装置が、取付け手段により防護すべき個所に固定される。この方法を実施するために装置は、請求項２〜１７にそれぞれ記載されている特徴を更に持つことができる。
【００２３】  本発明の好ましい実施形態が、図面を参照して説明され、それ以上の詳細が図面の図からわかる。機能的に同じ部分は同じ符号を付けられている。
【図面の簡単な説明】
【００２４】
【図１】  沿岸部分１２を持つ装置１の垂直断面図を示す。
【図２】  図１の装置の詳細図を垂直断面図で示す。
【図３】  砂沖積１９と共に装置１の垂直断面図を示す。
【図４】  装置１の正面図を示す。
【図５】  沿岸部分１２と共に装置１の第２実施例の垂直断面図を示す。
【図６】  陸水において使用するための装置１の第３実施例の垂直断面図を示す。
【図７】  矢板壁２１，２３を持つ装置の第４実施例の平面図を示す。
【図８】  コイルばね３２を持つ装置１の第５実施例の詳細を垂直断面図で示す。
【図９】  引張りばね３３を持つ装置１の第６実施例の詳細を垂直断面図で示す。
【図１０】  管４８を持つ装置１の第７実施例の詳細を垂直断面図で示す。
【図１１ａ】  不織布６３及びその上に設けられる補強体６０を持つ装置１の第８実施例の全体を垂直断面図で示す。
【図１１ｂ】  上に設けられる図１１ａの補強体を持つ不織布の詳細を垂直断面図で示す。
【図１２】  ３層弾性板７５の斜視図を示す。
【図１３ａ】  図１による３層弾性板７５を持つ装置１の全体を垂直断面図で示す。
【図１３ｂ】  図１３ａの詳細を垂直断面図で示す。
【図１４】  コンクリート素子７３を持つ装置１の別の実施例の全体を垂直断面図で示す。
【図１５】  桶状中空体１００を持つ装置１の別の実施例の概略的な全体を垂直断面図で示す。
【図１６ａ】  桶状凹所１００の概略平面図を示す。
【図１６ｂ】  図１６ａの桶状凹所１００の概略を垂直断面図で示す。
【図１７】  セメント注入アンカ２０７を持つ装置１の別の実施例の詳細を垂直断面図で示す。
【図１８】  沿岸防壁３００を持つ装置１の別の実施例の全体を垂直断面図で示す。
【図１９】  単一杭０１を持つ洗掘防護装置としての装置１の別の実施例の全体を垂直断面図で示す。
【図２０】  砂被覆なしの装置１の別の実施例の全体を垂直断面図で示す。
【図２１】  コンクリート梁を持つ装置１の別の実施例の全体を垂直断面図で示す。
【発明を実施するための形態】
【００２５】  図１は本発明による洪水防護、護岸及び洗掘防護装置１の垂直断面図を示す。更に装置１が設けられている沿岸部分１０，１２，１３の水と陸地との間の移行範囲が概略的に示されている。
【００２６】  装置１は、図示しないが互いに水密に結合されている弾性ゴム又は硬質ゴムから成る複数の弾性板２を持っている。板２は約２ｃｍの厚さを持っている。これは特に軽く、抵抗力があり、長持ちし、再使用可能である。装置１に適したゴム板は、種々の厚さで、繊維挿入物と一体に数ｍから数１００ｍの長さを持つ巻き物として、市場で入手可能である。
【００２７】  図１にはこのような板２が断面図で示されている。板２はその裏側１７で砂面上に載り、表側１６は水に面している。符号１０で水面が示され、砂から成る地表面は１２で示されている。地表面１２は一部水面１０の下にあり、一部その上にある。水の後方には砂丘地形が示され、その斜面は急峻に上昇し、最後に浸食稜１３達している。洪水又は高潮の際、水面１０は上昇することがある。このように上昇する水面の表面は符号１１で示され、破線で表されている防護装置１がないと、高潮の際波が常に砂丘へ当たり、それにより長い間には稜１３のそれ以上の浸食が起こり、最後に陸地の消失が起こることになる。板２の表側１６が水１１又は波の乗上げ面として役立つことにより、装置１がこの消失を防止する。それによりゴムから成る板２は、その弾性により波１１のエネルギを吸収し、こうしてその後ろにある地表面１２が水により流し去られるのを防護することができる。板２は、その材料特性のため、１ｔ／ｍ２以上の圧力に抵抗することができる。更に板２は、その可撓性により、公知の剛性覆い機構より著しく長持ちし、修理も必要としない。板２は、その弾性により地表面１２の凹凸及び沿岸線の推移に合わされる。
【００２８】  板２は土ねじ３により地中１２に確実に係留される。土ねじ３の代わりに、土槍、砂アンカ又は他の取付け手段も使用することができる。
【００２９】  図１に示すように、板２は水平面に対して傾斜角をなしている。これにより突当る波に対して傾斜した乗上げ面１６が形成され、従って現れる水のエネルギが上方へ導かれて減少される。傾斜角は異なる大地状態または斜面の角に合わせることができる。しかし砂丘の傾斜角が非常に小さいと、水を通すが砂を通さない図１２の３層の板７５が有利である。
【００３０】  板２は砂から成る地中へ約１．５０ｍ入れられており、他の範囲は露出しており、従って見える。この状態も異なる大地条件又は沿岸条件に合わせることができる。全体として板は約３〜６ｍの高さを持っている。板はもっと高くてもよく、従って異なる干満行程に合わせることができる。
【００３１】  装置１が環境へ美的に合うようにするため、弾性板２の前側の表面は砂から成る被覆を持っている。これにより板２は視覚的に目立たず、砂丘から区別されない。砂から成る被覆は例えばゴム表面１６へ接着剤を塗布され、それから砂を振りかけられる。砂からなる被覆の代わりに、周囲に応じて表面が色層例えば砂色、大地の色又は緑の色を持つことができる。装置１も同様に注入される砂で覆われ、従って見えないようにしてもよい。
【００３２】  図１には、護岸の範囲で装置１の使用が示されている。強調すべきことは、本発明がこれに限定されず、多数の他の使用可能性があることである。
【００３３】  装置１は陸地用の洪水防護装置としても使用できる。河川の近くにある洪水の危険がある範囲は、一般に堤防により防護される。しかしこれらの堤防は長く続く洪水にしはしば耐えることができない。その理由は堤防が時と共に水で完全に湿らされ、こうしてその安定性を失うからである。板２が堤防の水に面する側に設けられていることによって、装置１により堤防が完全に湿るのを防止される。水は装置１を透過することができない。なぜならば、板２がゴムから成り、例えば加硫により水密に互いに結合されているからである。板２の傾斜角は堤防の斜面の傾斜にほぼ一致している。
【００３４】  天然の草が望まれる場合、水を通すように、板２に穴を設けることができる。板２上に約５〜８ｃｍのさびない網布が設けられて、粘度で満たされ、草の種を蒔かれるので、草の根が網布及び水を通す板を通って成長する。その場合この層は耐裂性の堤防表面を形成する。
【００３５】  別の使用は、漏れによる水消失を回避するために、船舶航行運河の河床を密封するため図１に示す装置１を使用することである。
【００３６】  装置１は更に河川の岸範囲の保護に使用することができる。しかし河川の範囲における自然生物圏の回復のため、洪水防護の理由からも、河水が一層再び自然にされる。その場合河川はもはや直線的ではなく、区間毎に湾曲される。これらの湾曲範囲では、岸の下部押し流しを生じることがあり、従って石から成る覆い機構により保護されねばならない流れが現れる。危険のある下部範囲は、本発明により一層よく防護することができる。なぜならば、装置１は簡単に構築可能であり、更に長持ちしかつ一層安価だからである。
【００３７】  図２は図１の装置１の詳細を垂直断面図で示す。ゴムから成る弾性板２の範囲が示され、その裏側１７は基盤に載り、その表側１６は水に面している。板２の安定性及び可撓性を改善するため、板２は約２ｃｍの厚さを持ち、例えば複数の繊維挿入物１４を持っている。それにより板２を１ｔ／ｍ２以上の荷重にさらすことができる。
【００３８】  板２は図２に示す範囲に開口８を持ち、ねじ山１５を持つ土ねじ３がこの開口８に通されている。土ねじ３の芯直径は約２５ｍｍである。土ねじ３により板２が基盤に確実に固着される。板内の開口８は、土ねじ３の頭部９により水密に密封されるので、基盤は湿らされない。土ねじ３の頭部９と板２の前側１６との間には更に座板４が設けられて、頭部９により固定される。例えば織物挿入物から成る補強体は、流出する水による強い吸引力の際板２の補強に役立つ。これにより弾性板２の過度の変形及び裏側１７における空所形成が回避される。
【００３９】  図３は、水表面２と砂丘形成部の地表面２との間の移行範囲における図１ような装置の垂直断面図を示す。しかし本発明の別の使用が示されている。図１とは異なり、装置１の構築後の、砂沖積１９が行われる。それにより水側の地表面１２は、一層平らな角度で砂丘へ通じている。装置１は沖積された砂１９により覆われているので、完全に地中にある。
【００４０】  これにより砂が水側の方へ滑り落ちることができないので、砂丘形成部は安定化される。洪水又は高潮の際、破線で示す水面１１が上昇する場合、引続く防護効果が生じる。まず沖積された砂１９によっても防護が行われる。高潮の進行中に、沖積された水１９が運び去られてしまうと、装置１は図１に示すように完全に防護機能を引受ける。それにより陸地の消失は起こらない。
【００４１】  図４は装置１の正面図を示す。ゴムから成る細長い板２が示され、土ねじ３により等間隔で基板に取付けられている板２の長さ又は高さが十分でないと、複数の板２を側辺又は上辺及び下辺で互いに結合することができる（図示せず）。その場合これらの板は加硫又は機械的結合手段により互いに水密に結合されている。こうして任意の長さ及び高さの沿岸区間又は堤防区間を防護することができる。
【００４２】  装置１の両方の外端にあるは湾曲部を持ち、水から離れて陸側の方へ延びている。こうして板は装置１の後方押し流しを防止する矢板壁２１を形成する。
【００４３】  図５は沿岸区間を持つ装置１の別の実施例の垂直断面図を示す。この実施例では、取付け手段として更に水平に設けられる底板６が設けられ、その一方の縁を弾性板２の裏側に結合されている。弾性板２は、更に斜め及び水平に延びる支持部材５により底板６に結合されている。支持部材５は、弾性板２を、底板６に対して傾斜した位置に固定している。更に別の底板６が垂直に設けられている。支持部材５と底板６はこうして安定な枠を形成している。装置１は枠により自立しており、即ち板の取付けの際、弾性板２の裏側は地表面１２上に載っていなくてもよい。水平な底板６は、その位置を基盤に固定するアンカ素子７を持っている。
【００４４】  弾性板２は、載置素子としてその下縁に沿って延びるほぼＴ字状の異形材１８を持っている。異形材１８は板２を下方に終らせ、それを地中に係留する。
【００４５】  底板６及び異形材１８は更に、沈下を防止する装置１用の大面積の支えとして役立つ。別の利点は、底板６、支持部材５及びアンカ素子７が、弾性板２に作用する圧縮力及び引張り力を吸収し、従って全体として装置１の安定性を高める。
【００４６】  図５には、高潮後砂丘形成部の地表面１２の推移が示されている。これにより陸地が失われ、急峻な浸食稜１３が生じている。このような場合装置１は、砂の次の沖積用の取付け補助手段として使用可能である。このため装置１は、図５に示されているように、浸食稜１３の前の範囲に構築することができる。これは速やかに安価に可能である。なぜならば、装置１のすべての構成部分は完成部品だからである。この実施例では、板２の水密結合は加硫によるのではなく、機械的結合（図示せず）によって行われる。
【００４７】  装置１の構築後に砂沖積が行われる。このような砂沖積後の表面の推移は破線２０で示されている。その後装置１は砂１９により完全に覆われ、もはや見えない。その場合装置１は、砂沖積１９の取付け及び確保に役立つ。引続く砂沖積１９は更に全く反覆しないか又はまれに反覆すればよく、それによりわずかな費用しか生じない。
【００４８】  装置１の図示した実施例は、洪水防護及び護岸のほかに、他の使用も可能にする。それは移動砂丘を防止するために、例えば支えとして使用可能である。
【００４９】  図６は、特に陸水における使用に適している装置１の第３実施例の垂直断面図を示す。この場合水平、垂直及び斜めに延びる支持部材５が安定な枠を形成し、それにより装置１は自立的である。板２は傾斜せず、支持部材５から形成される枠に垂直な配置で取付けられている。更にコンクリートから成る固定基礎２２が設けられている。基礎２２上に支持部材５がねじ３により取外し可能に取付けられている。
【００５０】  装置１の構成部分２，３，５は、有利なように速やかに構築されかつ再び分解可能な完成部品として構成されている。陸水の通常の水面１０では、大地１２へ入れられる基礎のみが存在する。それにより自然環境は、防護装置により視覚的及び生態学的に悪影響を受けない。水面の上昇により洪水のおそれがあると、装置１を非常に速やかに、準備されている固定基礎２２上に構築し、洪水から効果的に防護することができる。
【００５１】  洪水のおそれがあり、適当な基礎２２が準備されていないと、大地１２への装置１の係留は、図５に示されているように土ねじ等によっても行うことができる。
【００５２】  図７は２つの矢印壁２１，２３を持つ装置１の第４実施例の平面図を示す。装置１に一方の側には、弾性板２の終端部分として矢板壁２１が形成され、この矢板壁は湾曲部を持ち、水１０から離れて陸側１２の方へ延びている。他方の側で矢板壁は、板２に継ぎ足される別個の部分２３である。
【００５３】  洪水又は高潮の際水１１は、装置１の板２によって防護される陸地面１２へ向かって動く。洪水が押し進む範囲は、図７では破線により示されている。その際矢板壁２１，２３は装置１の後方押し流しを防止する。
【００５４】  図８は装置の第５実施例の詳細を垂直断面図で示す。詳細図において複数の弾性ゴム板２の１つの部分が示され、その裏側１７は斜めに延びる地表面１２に載っている。図示したゴム板２は開口８を持ち、弾性ゴム板２から切抜きにより形成される内側板５２が開口８に設けられている。内側板５２は開口５８を持ち、取付け手段３として用いられる土槍３が開口５８を通って大地３７へ導かれ、そこで固定的に係留されている。大地３７は例えば砂底又は砂丘である。
【００５５】  ゴム板２及び内側板５２の前側１６に基板４０が設けられ、その直径は開口８の直径より大きい。これにより開口８は基板４０により完全に閉鎖される。基板４０と弾性ゴム板２は互いに接着３８され、こうして固定的に結合されている。基板４０も同様に土槍３用開口４１を持ち、この開口４１の直径は土槍３の外形にほぼ等しい。これにより土槍３は開口４１に沿って滑り、この開口を密封する。
【００５６】  装置の構築の際まず土槍３が基板開口４１へ挿入され、それから基板４０が内側板５２上へ載せられる。その場合土槍３の万一の中心ずれを相殺することができる。なぜならば、開口５８は士槍３の外形より著しく大きいからである。それから基板４０が内側板５２に接着され、弾性板２が大地３７に固定される。
【００５７】  基板４０上には保護蓋３１が取付けられて、コイルばねとして形成される予荷重素子３０用の機械的保護装置を形成している。コイルばね３２は一部ばねスリーブ３９内にあり、このスリーブ壁外面は保護蓋３１により包囲されている。ばねスリーブ３９の壁４５には、下部に取付けられる環状基礎４６があり、この基礎上にコイルばね３２のばね下端４３が載っている。ばね上端４４は、保護蓋３１の壁厚の増厚により形成される載置面３４上に載っている。コイルばね３２は、保護蓋３１の載置面３４と基礎４６の面とにより常に圧縮され、こうして予荷重をかけられている。保護蓋３１、ばねスリーブ３９及び基板４０により形成される空所４７へ水が浸入すると、この水は流出開口４２を通って出ることができる。
【００５８】  保護蓋３１は閉鎖ねじ３５により土槍３に取付けられているので、基板４０に載っている。このためは、閉鎖ねじ３５がねじ込まれる雌ねじ（図示せず）を持っている。
【００５９】  さて大地３７が弾性板２の下で凝縮すると、予荷重をかけられるコイルばね３２の力の作用により弾性板２が大地３の方へ押され、土槍３の軸線に沿って、再び地表面１２に載るまで動く。これによりゴム板２が確実に固定される。
【００６０】  図９は本発明による装置の第６実施例の詳細を垂直断面図で示す。この場合予荷重素子３０は予荷重を受ける引張りばね３３として形成され、土槍３の内部に設けられている。これにより保護蓋３１は図８の実施例におけるより扁平でこじんまりしている。地表面１２が傾斜を持たず、装置の弾性板２がほぼ水平に設けられている場合、この実施例が特に適している。それにより扁平でこじんまりした保護蓋３１は、視覚的に目立ったりじゃまになることはない。
【００６１】  弾性板２の前側１６には、保護蓋３１の下に基板４０が設けられ、接着３８により内側板５２に結合されている。内側板５２は、土槍３の中間部分用貫通部としての開口５８を持っている。土槍３は上部を保護スリーブ３６により包囲されている。
【００６２】  この実施例でも弾性板２は、予荷重素子３０として作用する引張りばね３３により大地３７の方へ押付けられ、大地３７の圧縮又は沈下の際土槍３の軸線に沿って、地表面１２に載るまで動かされる。引張りばね３３の万一の破断の際保護蓋が保持されるようにするため、（図示しない）安全網が設けられている。
【００６３】  図１に示す実施例におけるように、弾性ゴム板２からの切抜きにより内側板５２が形成され、それから基板４０に接着３８される。基板４０にある開口４１は、引張りばね３３及び安全網を通すのに用いられる。
【００６４】  図示した水平配置の場合、弾性板２のために、ゴムの代わりに水を通さないＰＴＦＥから成る繊維材料又は補強手段として地格子６０を持つ不織布６３を使用することができる（図１１ａ，図１１ｂ参照）。
【００６５】  図１０は装置の第６実施例の詳細図を示す。この実施例は図８及び９に示す実施例より簡単に構築される。地表面１２に、開口８を持つ弾性板２が載っている。開口８に土槍３が通されている。土槍は開口８を覆う頭部９を持っている。頭部９の上側には六角形の板５０が形成され、またその下側には管４８が形成されて、下方へ先細になっている。開口８の直径は管４８の外径より少し大きいので、開口８は管４８により密閉されるけれども、管４８と弾性板２との相互運動は可能である。
【００６６】  管４８の外面は弾性板２に対して密封案内面を形成している。大地３７が圧縮されると、弾性板２が圧縮された地表面１２に再び載るまで、弾性板２は管４８に沿って動くことができる。その場合頭部９は、六角形の板５０により回される。この回転により、土槍３はその（図示しない）ねじ山により大地３７の中へ動き、こうして弾性板２を固定する。六角形の板５０は頭部９の中へずらすこともできるので、つまずかせる稜は生じない。
【００６７】  図１１ａは、不織布６３及び補強体６０を持つ洪水防護装置又は護岸装置１の第８実施例の全体を垂直断面図で示す。装置１は沖積される砂１９により完全に覆われている。装置は弾性ゴム又は硬質ゴムから成る１つ又は複数の弾性板２を持ち、これらの弾性板２は互いに結合され（図示せず）、土ねじ３により地中３７に係留されている。地表面１２は一部水表面１０の下にあり、一部その上にある。水の後方には砂丘状の形成部が示され、その土手１２は急峻に上昇し、最後に稜１３に達している。洪水又は高潮の際水面１０が上昇して、符号１１で示すレベルまで達することがある。弾性板２はその下側に格子結合部６１を持ち、この格子結合部により弾性板が不織布６３及びその上に設けられる補強体６０に結合されている。これにより不織布６３及び補強体６０の範囲において、水のしみ込み線（図示せず）を中断することなく、大地３７を固定して保護することが可能である。不織布は、例えば水を通すが砂を通さないＰＥＴ又はＰＴＦＥから成っている。不織布６３は高い負荷能力特に引張り強度を持ち、速やかにかつ安価に敷設することができる。
【００６８】  補強体６０を持つ不織布を複合板（図示せず）として敷設することも可能である。
【００６９】  図１１ｂは、図１１１の不織布６３とその上に設けられる補強体６０の詳細を垂直断面図で示す。洪水又は高潮の過程において、沖積されている砂１９が水により運び去られることがあるので、不織布６３及び補強体６０が直接地表面１２上に載る。このような場合流し去りを回避するため、不織布６３及び補強体６０は取付け手段３を持ち、この取付け手段により地表面１２又は大地３７に取付けられている。取付け手段３として、装置１の弾性板２用の取付け手段３としても用いられる同じ土ねじ又は土槍が設けられている。
【００７０】  不織布６３及び地格子６０の別の利点は、これら６３，６０の上を人間が歩行可能なことである。
【００７１】  図１２は、特に洪水防護及び護岸のために使用される３層複合板としての上述した弾性板２の別の構成を示す。縁で互いに結合されるこのような複数の板７５は、取付けのため沿岸範囲にあって洪水の危険にさらされる砂床上に置かれ、それから砂で覆われる。
【００７２】  弾性板７５は、３つの層から成る複合板として構成されている。一番上の保持層７０はゴムから成り、黄色又は砂の色に着色されている。それにより保持層は色に関して環境に合わされている。板７５多数の小さい円形凹所７１を持っている。これらの凹所７１は砂又は他の大地材料（図示せず）を収容し、こうして保持することができる。これにより風の運搬による砂の運び去りが防止又は減少される。中間層７４として、鋼線（図示せず）を挿入されるか又は織物挿入物を持つ弾性ゴム板が設けられている。これにより板７５は大きい圧縮力又は引張り力を受け止めることができる。保持層７０及び中間層７４は貫通する水流出開口７２を持っている。中間層７４の下側１７に、更にポリエステルから成る不織布層６３が設けられている、この不織布層は水を通すフィルタとして作用する。水は水流出開口７２を通って妨げられることなく流れることができるが、一緒に流される砂は不織布層６３によって引止められる。
【００７３】  砂が僅かな水と混合されると、まず非常に粘りかつ剛性の混合物が形成される。水の割合が高まると、相の急変が起こり、低い粘度を持つ液状の懸濁液が形成される。その場合懸濁液は容易に流し去られ、危険にさらされる岸における保護機能を果たすことができない。３層板７５のフィルタ機能により、水は層７０，７４を通って大地へ流入し、砂らか分離される。低粘度懸濁液の形成はこうして回避される。これにより砂の運び去りが少なくなることによって装置１のそれ以上の保護機能が行われる。
【００７４】  上述した弾性板７５は、装置１の構成部分として、加硫、接着又は結合素子（図示せず）により互いに結合されることができる。１層の板２を多層の板７５と組合わせるか、又は他の保護装置のために板７５を使用することも可能である。
【００７５】  図１３ａは、１層の弾性板２と図１２による３層の弾性板７５とを持つ装置１の全体を垂直断面図で示す。板２，７５は、図示しない結合素子により互いに水密に結合されている。装置１は、沖積される砂１９により完全に覆われている。装置は弾性ゴム又は硬質ゴムから成る１つ又は複数の板２，７５を持ち、これらの板は互いに結合され、土ねじ３により大地３７に係留されている。地表面１２は一部水表面１０の下に、一部その上にある。水の後方には砂丘状形成物が示され、その土手の傾斜１２は急峻に上昇し、最後に稜１３に達している。洪水又は高潮の際、水面１０が上昇し、符号１１で示すレベルへ達することがある。
【００７６】  土手の範囲で、弾性板２は水平面に対して大きい傾斜を持っている。この範囲で弾性板は１層に形成され、即ちこの範囲では砂も水も通さない。沖積される砂１９の範囲には。３層の弾性板７５がある。これらの板はわずかな傾斜しか持たず、砂の沖積１９中にほぼ水平に設けられている。板７５は、貫通する水流出開口７２により水を通すが、砂は不織布６３から成る下層により引止められる。従ってこの範囲で装置１は、水を通すが砂を通さない。
【００７７】  不織布６３も同様に高い機械的負荷能力特に引張り強度を持っている。弾性板７５の他の両方の層７０，７４も非常に高い機械的負荷能力を持っているので、装置１上を歩行及び走行可能である。
【００７８】  図１３ｂは図１３ａによる弾性板７５の細部Ａを垂直断面図で示す。
【００７９】  図１４は、コンクリート素子７３を持つ装置１の実施例の全体を垂直断面図で示す。高潮後における地表面１２及び水表面１０の推移が示されている。地表面１２は一部水表面１０の下にあり、一部その上にある。弾性板２，７５を持つ装置１は、一部地表面１２上に直接載っている。装置１の水側１０に面する端部範囲及び側方端部範囲（図示せず）において、適当な弾性板７５におもりとしてコンクリート素子７３が取付けられている。コンクリート素子７３は弾性板７５を下方へ引張り、それにより弾性板は陸側の板より大地３７中の深い所にある。これにより垂直断面図において下方へ湾曲する板７５の推移が生じ、板が特に有利な流体力学的形状を形成して、波の乗り上げ面として役立つ。波の力はこうして吸収され、上方へ導かれる。それにより装置１の下の浸食が少なくなる。
【００８０】  しかし高潮の作用により、地表面１２がコンクリート素子７３の下縁に達し、その下を浸食することがあると、コンクリート素子７３は下方へ移動し、その際弾性板７５も一緒に、大地３７の方へ引張る。それにより、一層深い所にある海底１２の所まで防護が復元される。コンクリート素子７３は、図１３ａに示す装置１と組合わせることもできる。
【００８１】  図１５は、一層の弾性板２と多層の弾性板７５とを持つ装置１の別の実施例の全体を垂直断面図で示す。弾性板２，７５は弾性ゴム又は硬質ゴムから成り、互いに結合されている。取付けのため、弾性板は土ねじ３により大地３７に係留されている。砂表面１２は一部水表面１０の下にあり、一部その上にある。水１０３の後方には砂丘状形成部１０６が示されている。砂丘状形成部１０６の土手の範囲では、弾性板２は水表面に対して大きい傾斜を持っている。この範囲で弾性板は１層に形成され、即ちこの範囲で装置１は砂も水も通さない。その際板２は砂表面１２のすぐ下にある。土手の範囲の水側では、板７５と砂表面１２との間隔が増大している。これにより板７５は凹所又は上方へ開く桶状凹所１００を形成している。こうして生じる空所は、沖積される砂１９で満たされる。砂は沖積の際におけるように導入され、入れられる砂の表面１２は、通常の水面１０より上にある。これによりほぼ水平な平らな面１２が生じる。高潮又は洪水の際、水１０３は砂を運び去るため作用点を持たない。こうして砂１９が洗い流されるのを確実に防止される。更に桶状凹所１００の壁１０１，１０４により砂１９が留められる。壁１０１，１０４は弾性板のしわにより形成され、付加的な構造素子は必要とされない。
【００８２】  桶状凹所１００の範囲に、図１２に示すように３層の複合板７５が設けられている。穴あき板７５は、貫通する水流出開口（図１２参照）により、水を通すが、砂は不織布から成る層（図１２参照）により留められ、それにより装置１は水を通すが、砂を通さない。これにより水は流出開口を通って直ちに流出し、低い粘度を持ち従って容易に洗い流されるか又は運びだされる水−砂懸濁液は形成されない。
【００８３】  板２，７５は多数の土ねじ３により地３７に係留される。桶状凹所１００の範囲には、土ねじ３は必ずしも必要でない。なぜならば、板７５は沖積される砂１９により固定されるからである。
【００８４】  水側１０３に面する装置１の端部範囲には、弾性板２，７５に連続間隔でおもりとしてのコンクリート素子７３が取付けられている。同様に側方の端部範囲にコンクリート素子７３が取付けられている（図１４参照）。これらのコンクリート素子７３の機能は上述されている。
【００８５】  図１６ａは、互いに結合される多数の板を持つ桶状凹所１００の概略平面図を示す。水線１０５即ち水１０３と砂３７との間の移行範囲が示されている。桶状凹所１００は、板７５のしわ付けにより形成される４つの側壁１０１，１０４を持つほぼ長方形の形状を持っている。桶状凹所１００は、それが水線１０５及び砂丘形成部１０６から十分な間隔を持つように設けられ、それにより洪水又は高潮の際乗上げるか又は流れ去る水が、できるだけわずかな垂直流速しか持たない。
【００８６】  桶状凹所１００は、その底に同様に板７５のしわ付けにより形成される隆起１０２を持っている。隆起１０２は、水１０３に面する壁１０４から陸側の方へ延びている。これにより原理的に防波堤によっても得られるような付加的な効果、即ち横流れにより砂の運び出しを防止する効果が生じる。しかし本発明による隆起１０２は一層効果的である。なぜならば、それらが完全に凹所１００内にあり、かつ砂の中にあり、従って水により直接周囲を洗われないからである。
【００８７】  強調すべきことは、図示が明白にするために役立つにすぎないことである。なぜならば、桶状凹所１００は沖積された砂１９（図１６ｂ参照）により完全に覆われ、従って見えないからである。更に桶状凹所１００及び隆起１０２の寸法やその相互間隔は正確な寸法で示されていない。
【００８８】  図１６ｂは図１６ａの桶状凹所１００の概略を垂直断面図で示す。これからわかるように、隆起１０２は弾性板７５のしわ付けにより形成され、それにより付加的な構造素子は必要とされず、装置１の安価な構築が可能である。隆起１０２の間及び隆起１０２より上の範囲は、沖積された砂１９で覆われている。
【００８９】  図１７は、本発明によるセメント注入アンカ２０７を持つ装置１の別の実施例の詳細を垂直断面図で示す。セメント注入アンカ２０７は、下端に王冠状の歯２１６を持つ高級鋼管２０８から成っている。上部範囲には、穴２１０を持つ高級鋼製の管板２０９が溶接されている。更に管は上部範囲に雌ねじ２１２を持っている。
【００９０】  取付けのため、セメント注入アンカ２０７は垂直に沿岸表面又は地表面１２に載せられる。それからセメント懸濁液が管開口２１１を通って下方へポンプで送り込まれる。セメント懸濁液の洗い流し作用により、管板２０９が地表面１２に載るまで、セメント注入アンカ２０７は容易に大地３７へ押し込まれる。セメントの硬化後、セメント注入アンカ２０７と大地３７との間にかみ合い結合部が形成される。これによりセメント注入アンカ２０７を砂の中にも固定的に係留することができる。それから互いに結合される弾性ゴム板２が地表面１２に敷設される。ゴム板は開口８を持っている。弾性ゴム板２の開口に閉鎖ねじ２１３が通され、穴２１０及び管開口２１１を通って雌ねじ２１２へねじ込まれ、それにより弾性ゴム板２がそれぞれ管板２０９と閉鎖ねじ２１３の頂板２１４との間に締付けられる。
【００９１】  図１８は、沿岸防壁３００を持つ装置１の別の実施例の全体を垂直断面図で示す。岸に近い建造物又は建造物を防護できるように、この図は沿岸防壁３００を示している。このため弾性板７５は、適当な結合手段（図示せず）により沿岸防壁３００に直接結合される。ここでは水を通すが砂を通さない多層の弾性板７５が使用される。弾性板７５は、砂表面２０の下及び部分的に水表面１０の下に設けられている。機械的結合により互いに結合される板７５の水に面する端部範囲にコンクリート素子７３が取付けられて、この範囲で弾性板７５を下方へ引張り、こうして海の波により生じる圧力波を一層よく吸収することができる。
【００９２】  図１８は、単一杭３０１を持つ洗掘防護装置としての装置１の別の実施例の全体を垂直断面図で示す。このような単一杭３０１は海底３７へ打込まれるコンクリート杭であり、例えば風力設備又はボーリング塔用支持体として使用されている。水流のため、単一杭３０１の近く又は他の沖合建造物に洗掘が起こり、即ち建造物３０１の範囲で砂が洗い流されて、漏斗状洗掘凹所が形成される。図示した実施例では互いに結合される弾性板２と弾性板２の縁又は端部範囲にあるコンクリート素子７３から成る装置１によって、単一杭３０１が洗掘に対して効果的に防護される。符号３０２により示すように、単一杭３０１の範囲で砂表面２０は洗い流されたけれども、単一杭３０１に接する弾性板２によりそれ以上の洗い流しは防止された。コンクリート素子７３は板２を下方へ引張り、こうして装置１の流体力学的に好都合な形状を生じる。コンクリート素子は更に取付け素子としても役立つので、洗掘防護装置が特定の大きさを越えないと、状況に応じて土ねじ又は他の上述した取付け手段をなくすことができる。弾性板２は１層で水を通さなくてもよく、また水を通すが砂を通さない多層板７５（図１２参照）であってもよい。
【００９３】  図１９に示す装置１の実施例は、単一杭３０１の図示した使用に限定されず、図示したやり方であらゆる種類の沖合建造物又は沖合建造物の基礎又は水中建造物のために使用可能である。
【００９４】  図２０は砂被覆なしの装置１の別の実施例の全体を垂直断面図で示す。地表面１２は水表面１０の下にある。弾性板として、水を通すが砂を通さない多層板７５（図１２参照）が設けられている。板７５は互いに結合され（図示せず）、少し斜めの地表面１２上に直接載り、砂で覆われていない。それにもかかわらず、これは同様に可能である。板７５の安定性及び可撓性のため、その上を歩行又は走行可能である。板は土槍３により大地３７に取付けられている。水側１０に面する弾性板７５の端部範囲及び側方の端部範囲（図示せず）において、弾性板７５におもりとして複数のコンクリート素子７３が取付けられて、弾性板７５を下方へ引張る。これにより下方へ湾曲する板７５の推移が生じ、板はこうして特に有利な流体力学的形状を形成して、波に対する乗上げ面として役立つ。
【００９５】  更に砂から成る土手２４を持つ砂丘と、それに続く砂表面２０を持つ浸食稜１３が示されている。土手２４の範囲は、水を通さない１層の弾性板２により防護されている。水を通さないこれらの板２は、大地３７の深くまで延びている。高潮の際水表面１０が上昇すると、水を通す板７５の表面を覆う。その場合水は板７５を通って有利に大地３７へ流出することができる。その場合大地３７の中へ延びかつ水を通さない弾性板２の範囲は、板２の後ろの土手の範囲で水が高く上昇し過ぎ、板２の弾性運動の際波の荷重を受けて洗掘が起こるのを防止する。土手１３，２０，２４は、それにより更に防護される。水を通さない弾性板２は加硫により互いに水密に結合されている（図示せず）。水を通す板７５を持つ範囲と水を通さない板２を持つ範囲は、ゴム素子７６により互いに結合されている。
【００９６】  図２１はコンクリート梁を持つ装置１の別の実施例の全体を垂直断面図で示す。この場合同時に取付け素子３として役立つ補強素子３０３が設けられている。コンクリート梁の代わりに、金属異形材も適している。水を通さない弾性板７５から成る範囲は、その縁範囲でコンクリート梁３に固定的に結合され、こうして大地３７に固定されている。従って土ねじ又は土槍はなくてもよいが、付加的な取付け手段として使用することができる。装置１の図示した実施例では、２つのコンクリート梁３の間の弾性板７５の範囲は１つの湾曲部を持っている。この湾曲部により、上方へ向く強い吸引力にも抵抗する静的に特に安定な構造が生じる。従って挿入物又は補強体なしの弾性板も使用することができる。
【符号の説明】
【００９７】１      防護装置
２      弾性板
３      取付け素子
４      座板
５      支持部材
６      底板
７      アンカ素子
８      開口
９      頭部
１０    水表面
１１    洪水表面
１２    地表面
１３    浸食稜
１４    繊維挿入物
１５    織物
１６    前側
１７    下側
１８    載置素子
１９    砂沖積
２０    砂表面
２１    矢板壁
２２    基礎
２３    付加される矢板壁
２４    土手
３０    予荷重素子
３１    保護蓋
３２    コイルばね
３３    引張りばね
３４    載置面
３５    閉鎖ねじ
３６    保護スリーブ
３７    大地
３８    接着
３９    ばねスリーブ
４０    基板
４１    基板開口
４２    流出開口
４３    ばね下端
４４    ばね上端
４５    壁
４６    基盤
４７    空所
４８    管
５０    板
５２    内部板
５８    内部開口
６０    補強体
６１    格子結合部
６３    不織布
７０    保持層
７１    凹所
７２    水流出開口
７３    コンクリート素子
７４    中間層
７５    ３層複合板
７６    ゴム素子
１００  桶
１０１  側壁
１０２  隆起
１０３  水
１０４  側壁
１０５  水線
１０６  砂丘形成部
２０７  セメント注入アンカ
２０８  管
２０９  管板
２１０  穴
２１１  管開口
２１２  雌ねじ
２１３  閉鎖ねじ
２１４  頂板
２１５  セメント
２１６  穴あけ
３００  沿岸防壁
３０１  単一杭
３０２  洗掘部
３０３  補強体
【図１】
2011518268.tif 000003
【図２】
2011518268.tif 000004
【図３】
2011518268.tif 000005
【図４】
2011518268.tif 000006
【図５】
2011518268.tif 000007
【図６】
2011518268.tif 000008
【図７】
2011518268.tif 000009
【図８】
2011518268.tif 000010
【図９】
2011518268.tif 000011
【図１０】
2011518268.tif 000012
【図１１ａ】
2011518268.tif 000013
【図１１ｂ】
2011518268.tif 000014
【図１２】
2011518268.tif 000015
【図１３ａ】
2011518268.tif 000016
【図１３ｂ】
2011518268.tif 000017
【図１４】
2011518268.tif 000018
【図１５】
2011518268.tif 000019
【図１６ａ】
2011518268.tif 000020
【図１６ｂ】
2011518268.tif 000021
【図１７】
2011518268.tif 000022
【図１８】
2011518268.tif 000023
【図１９】
2011518268.tif 000024
【図２０】
2011518268.tif 000025
【図２１】
2011518268.tif 000026
【国際調査報告】
2011518268.tif 000027
2011518268.tif 000028
2011518268.tif 000029
2011518268.tif 000030
2011518268.tif 000031
2011518268.tif 000032
2011518268.tif 000033
2011518268.tif 000034
2011518268.tif 000035
2011518268.tif 000036